(57)【特許請求の範囲】
【請求項１】
一面に光源が実装される回路基板と、前記回路基板の他面が当接して取り付けられる取付面を有する長尺状の取付部材と、前記回路基板の前記一面側を覆うようにして長手方向が前記取付部材の長手方向と同じ方向になるように前記取付部材の前記取付面に取り付けられる長尺状のカバーとを備え、
前記カバーは、前記回路基板を覆う長尺状のパネルと、前記パネルの短手方向の両端縁から、短手方向に互いに近づく向きに向かって延出する板状の一対の内鍔とを有し、
前記回路基板は、前記一対の内鍔と前記取付部材の前記取付面との間に挟み込まれて支持され、
前記取付部材は、板金によって形成されており、短手方向の両端側で長手方向に沿って設けられるかしめ部を備え、
前記かしめ部は、前記取付面側に切り起こされる切起し片と、前記取付部材が切り起こされることで形成される開口部と、前記切起し片の一部が前記光源側に折り曲げられて形成される挟持片とを有し、
前記一対の内鍔のそれぞれは、前記かしめ部を収納する凹部と、前記凹部の開口縁から前記凹部内に延設された突片とを備え、
前記取付部材は、前記挟持片と前記取付面とで前記突片を挟むことで、前記カバーを支持する
ことを特徴とする光源ユニット。
【請求項２】
前記一対の内鍔のそれぞれの前記凹部において、前記カバーの短手方向に向かい合う面は、短手方向に互いに離れるにつれて、前記取付部材から遠ざかるように傾斜する傾斜面に形成され、
前記傾斜面は、前記光源が発した光を反射する反射面に形成される
ことを特徴とする請求項１に記載の光源ユニット。
【請求項３】
前記一対の内鍔のそれぞれは、前記凹部が形成されて前記パネル側に突出する突出部を備え、
前記カバー内において、前記突出部と前記パネルの内面との間に、前記光源が発した光が短手方向へ通る伝達経路となる空間が設けられる
ことを特徴とする請求項１または２に記載の光源ユニット。
【請求項４】
前記パネルは、短手方向の両端縁から突出する取付片を備え、
前記取付部材は、係止部を短手方向の両端に備え、
前記カバーは、前記取付片が前記係止部に引掛ることで、前記取付部材に取り付けられる
ことを特徴とする請求項１〜３の何れか一項に記載の光源ユニット。
【請求項５】
一面に光源が実装される回路基板と、前記回路基板の他面が当接して取り付けられる取付面を有する長尺状の取付部材と、前記回路基板の前記一面側を覆うようにして長手方向が前記取付部材の長手方向と同じ方向になるように前記取付部材の前記取付面に取り付けられる長尺状のカバーとを備え、
前記カバーは、前記回路基板を覆う長尺状のパネルと、前記パネルの短手方向の両端縁から、短手方向に互いに近づく向きに向かって延出する板状の一対の内鍔とを有し、
前記回路基板は、前記一対の内鍔と前記取付部材の前記取付面との間に挟み込まれて支持され、
前記パネルは、短手方向の両端縁から突出する取付片を備え、
前記取付部材は、
短手方向の両端から、前記パネルから離れる向きに突出する側面部と、
前記側面部の先端にそれぞれ設けられている係止部と、
を備え、
前記カバーは、前記取付片が前記係止部に引掛ることで、前記取付部材に取り付けられる
ことを特徴とする光源ユニット。
【請求項６】
前記カバーの前記一対の内鍔は、光の透過を抑制する非透過性を有し、前記パネルに対向する面が反射面に形成される
ことを特徴とする請求項１〜５の何れか一項に記載の光源ユニット。
【請求項７】
前記取付部材は、樹脂によって形成され、溶着することで前記カバーを固定する
ことを特徴とする請求項１〜６の何れか一項に記載の光源ユニット。
【請求項８】
請求項１〜７の何れか一項に記載の光源ユニットと、前記光源ユニットが取り付けられる器具本体とを備える
ことを特徴とする照明器具。
【発明の詳細な説明】
【技術分野】
【０００１】
本発明は、光源ユニットおよび照明器具に関し、特に、長尺に形成される光源ユニット、および当該光源ユニットを備える照明器具に関する。
【背景技術】
【０００２】
従来例として、特許文献１に記載の光源ユニットおよび照明器具を例示する。特許文献１に記載の照明器具は、天井直付け型の照明器具であって、吊りボルトを用いて天井材に取り付けられる器具本体と、器具本体に対して着脱自在に取り付けられる光源ユニットとを備える。
【０００３】
器具本体は、板金に曲げ加工を施すことで、長尺かつ上面が開口する扁平な箱状に形成される。器具本体において、天井材と反対側には、光源ユニットを収容するための矩形凹部が器具本体の全長に亘って設けられている。また、器具本体の左右方向（幅方向）において、凹部の両側には、凹部の開口端縁から延出し、且つ外側に行くほどに、天井側に傾斜する傾斜面がそれぞれ設けられている。
【０００４】
光源ユニットは、複数の基板と、基板が取り付けられている取付部材と、基板を覆うようにして取付部材にとりつけられるカバー部材とを有する。また、光源ユニットは、基板に対して所定の点灯電力を供給する電源装置と端子台ブロックとを有する。
【０００５】
取付部材は、板金に曲げ加工を施すことでＵ字状に形成され、長尺かつ矩形板状に形成された底面部（取付面）と、底面部の左右方向（幅方向）における両端から上下方向に延出する一対の側面部で構成される。
【０００６】
取付部材は、底面に載せられた基板を幅方向から固定するためのかしめ部が前後方向に沿って複数設けられている。このかしめ部は、底面の一部を切り起こすことで形成され、先端側を内側に折り曲げることで底面との間に基板を挟み込んで固定する。
【先行技術文献】
【特許文献】
【０００７】
【特許文献１】特開２０１４−１１６２９９公報
【発明の概要】
【発明が解決しようとする課題】
【０００８】
ところで、特許文献１に記載の光源ユニットおよび照明器具には、かしめ部を形成することで、取付部材に開口が形成され、当該開口を通って外部から埃や虫などがカバーの内部に進入する場合がある。作業者は、埃や虫がカバーの内部に進入しないように、製造過程などにおいて当該開口にテープなどを貼って塞いでいた。
【０００９】
本発明は、上記事由に鑑みてなされており、作業工程を軽減し、かつ、埃や虫などがカバーの内部に進入することを抑制することができる光源ユニットおよび照明器具を提供することを目的とする。
【課題を解決するための手段】
【００１０】
本発明の一態様に係る光源ユニットは、一面に光源が実装される回路基板と、前記回路基板の他面が当接して取り付けられる取付面を有する長尺状の取付部材と、前記回路基板の前記一面側を覆うようにして長手方向が前記取付部材の長手方向と同じ方向になるように前記取付部材の前記取付面に取り付けられる長尺状のカバーとを備え、前記カバーは、前記回路基板を覆う長尺状のパネルと、前記パネルの短手方向の両端縁から、短手方向に互いに近づく向きに向かって延出する板状の一対の内鍔とを有し、前記回路基板は、前記一対の内鍔と前記取付部材の前記取付面との間に挟み込まれて支持され、前記取付部材は、板金によって形成されており、短手方向の両端側で長手方向に沿って設けられるかしめ部を備え、前記かしめ部は、前記取付面側に切り起こされる切起し片と、前記取付部材が切り起こされることで形成される開口部と、前記切起し片の一部が前記光源側に折り曲げられて形成される挟持片とを有し、前記一対の内鍔のそれぞれは、前記かしめ部を収納する凹部と、前記凹部の開口縁から前記凹部内に延設された突片とを備え、前記取付部材は、前記挟持片と前記取付面とで前記突片を挟むことで、前記カバーを支持することを特徴とする。
本発明の一態様に係る光源ユニットは、一面に光源が実装される回路基板と、前記回路基板の他面が当接して取り付けられる取付面を有する長尺状の取付部材と、前記回路基板の前記一面側を覆うようにして長手方向が前記取付部材の長手方向と同じ方向になるように前記取付部材の前記取付面に取り付けられる長尺状のカバーとを備え、前記カバーは、前記回路基板を覆う長尺状のパネルと、前記パネルの短手方向の両端縁から、短手方向に互いに近づく向きに向かって延出する板状の一対の内鍔とを有し、前記回路基板は、前記一対の内鍔と前記取付部材の前記取付面との間に挟み込まれて支持され、前記パネルは、短手方向の両端縁から突出する取付片を備え、前記取付部材は、短手方向の両端から、前記パネルから離れる向きに突出する側面部と、前記側面部の先端にそれぞれ設けられている係止部と、を備え、前記カバーは、前記取付片が前記係止部に引掛ることで、前記取付部材に取り付けられることを特徴とする。
【００１１】
本発明の照明器具は、上述の光源ユニットと、前記光源ユニットが取り付けられる器具本体とを備えることを特徴とする。
【発明の効果】
【００１２】
本発明の光源ユニットおよび照明器具は、作業工程を軽減し、かつ、埃や虫などがカバーの内部に進入することを抑制することができるという効果がある。
【図面の簡単な説明】
【００１３】
【図１】実施形態に係る照明器具を示す分解斜視図である。
【図２】図２Ａは実施形態に係る照明器具を示す断面図、図２Ｂは図２Ａの要部を示す拡大図である。
【図３】実施形態に係る光源ユニットの要部を示す斜視図である。
【図４】実施形態に係る光源ユニットの要部を示す斜視図である。
【図５】実施形態に係る照明器具を示す斜視図である。
【図６】実施形態の変形例に係る光源ユニットを示す断面図である。
【発明を実施するための形態】
【００１４】
以下、本発明に係る光源ユニット２および照明器具１００の実施形態について、図面を参照にして詳細に説明する。以下に説明する実施形態では、天井材３００（図２Ａ参照）に直付けされる光源ユニット２および照明器具１００を例示する。ただし、直付け以外の取付方法によって、天井材３００または天井材３００以外の場所に取り付けられる光源ユニット２および照明器具１００に本発明の技術思想を適用することは可能である。なお、以下の説明において、特に断りのない限り、図１において、上下、左右、前後の各方向を規定する。
【００１５】
本実施形態の照明器具１００は、図１および図２Ａに示すように、天井材３００（図２Ａ参照）に取り付けられる器具本体１と、器具本体１に着脱自在に取り付けられる光源ユニット２とを備える。
【００１６】
器具本体１は、板金に曲げ加工を施すことで前後方向に長尺かつ上面が開口する扁平な箱状に形成される。器具本体１において、下側には、光源ユニット２を収容するため矩形の凹部１１が器具本体１の前後方向の全長にわたって設けられている。また、器具本体１の左右方向において、凹部１１の両側には、凹部１１の開口端縁から延出し、かつ外側に向かうにつれて上側に傾斜する傾斜面１２がそれぞれ設けられている。
【００１７】
凹部１１の底板１１１には、図１に示すように、電線を通すための複数の孔１１１ａが前後方向に沿って設けられている。底板１１１は、さらに吊りボルトを通すための複数の孔１１１ｂが前後方向に設けられている。器具本体１の前後方向における両端部にはエンドキャップ１３がそれぞれ取り付けられている。
【００１８】
光源ユニット２は、光源モジュール２１と、光源モジュール２１が取り付けられる取付部材２２と、光源モジュール２１を覆うカバー２３と、カバー２３の前後方向の両端に取り付けられる一対のエンドカバー２４とを備える。光源ユニット２は、さらに、電源装置２５と、端子台ブロック２６とを備える。
【００１９】
光源モジュール２１は、前後方向に長尺な矩形板状に形成された回路基板２１０と、回路基板２１０の下面に前後方向に沿って実装される複数の光源（発光ダイオード）２１１とを備える。光源モジュール２１の前後方向の端部には、電源装置から光源２１１を点灯するための電力をケーブルを介して供給する電源供給用コネクタが実装されている。
【００２０】
取付部材２２は、板金に曲げ加工を施すことで、前後方向から見てＵ字形状に形成され、前後方向に長尺な矩形板状に形成された取付面２２０と、取付面２２０の左右方向における両端から上向きに延出する一対の側面部２２１とで構成される(図３参照)。側面部２２１のそれぞれの先端には、図２Ａに示すように、Ｌ字型に形成された係止部２２３が形成される。取付部材２２は、図２Ｂに示すように、前後方向から見た取付面２２０の略中央に、光源モジュール２１が当接して収容されるための凹部２２２を備える。
【００２１】
取付部材２２は、図２Ａ、図２Ｂ、および図３に示すように、カバー２３を保持するために、取付面２２０の左右方向の両端側で長手方向に沿って設けられる複数のかしめ部２２４をさらに備える。かしめ部２２４は、下側に切り起こされる切起し片２２４ａと、取付部材２２が切り起こされることで形成される開口部２２４ｂと、切起し片２２４ａの一部が光源２１１側に折り曲げられて形成される挟持片２２４ｃとを有する。
【００２２】
カバー２３は、図２Ｂに示すように、光源モジュール２１を覆うパネル２３１と、パネル２３１の左右方向の両端縁から、左右方向に互いに近づく向きに向かって延出する板状に形成された一対の内鍔２３２とを備える。
【００２３】
パネル２３１は、拡散性を有する材料、例えば、乳白色のアクリル樹脂、によって上面が開口する前後方向に長尺な箱形に形成され、かつ左右方向において、両端側から中央側に向かうにつれて下側への突出量が大きくなるような凸レンズ形状に形成されている。
【００２４】
内鍔２３２は、図２Ｂおよび図４に示すように、光の透過を抑制する非透過性を有し、パネル２３１に対向する内面２３２ｅが反射面に形成されている。内鍔２３２は、凹部２３２ｂが形成されて突出する突出部２３２ａと、突片２３２ｃとを備える。内鍔２３２は、先端に先端部２３２ｄと、凹部２３２ｂの下面と先端部２３２ｄとを結ぶ傾斜面２３２ｆと、先端部２３２ｄ側から凹部２３２ｂの凹部２３２ｂ内に延設される突片２３２ｃとをさらに備える。
【００２５】
凹部２３２ｂは、かしめ部２２４を収容するために、上側の一部が開口し、前後方向から見て下面に向かって先細りする台形の溝状に形成される。傾斜面２３２ｆは、凹部２３２ｂを形成する一面であり、かつ左右方向に光源２１１を挟んで向かい合う一面でもある。そして、傾斜面２３２ｆは、左右方向に互いに離れるにつれて、取付部材２２から遠ざかるように傾斜する傾斜面に形成される。先端部２３２ｄは、傾斜面２３２ｆから左右方向に沿って光源２１１に向かって突出し、取付部材２２の取付面２２０との間に光源モジュール２１を挟み込むように形成される。突片２３２ｃは、傾斜面２３２ｆの上端側から凹部２３２ｂの内部に、左右方向に互いに遠ざかる向きに突出し、取付面２２０と、挟持片２２４ｃとの間に挟まれるように形成される。
【００２６】
なお、カバー２３が取付部材２２に取り付けられている状態において、突片２３２ｃの上面は、取付面２２０と当接し、さらに、内鍔２３２の基端から凹部２３２ｂまでの間の一部も、取付面２２０と当接している。
【００２７】
カバー２３の左右方向の両端には、突出部２３２ａと内鍔２３２の基端との間に前後方向に沿った溝状の空間２３５が設けられる。空間２３５は、光源２１１が発する光がカバー２３の左右方向の両端に入り込む光の伝達経路となる。光源ユニット２は、空間２３５を設けることによって、カバー２３の両端から、左右方向への照射をより確保することが可能である。
【００２８】
エンドカバー２４は、透光性を有する材料、例えば、アクリル樹脂、によって、半楕円板状に形成され、カバー２３の前後方向の両端に取り付けられる。
【００２９】
電源装置２５は、前後方向に長尺な矩形板状に形成された回路基板２５１と、回路基板２５１を収納するための収納ケース２５２とを有する。回路基板２５１には、少なくとも、光源２１１の点灯電力を生成するための回路部品（例えば、トランジスタ、ダイオード、コンデンサ）などが実装されている。
【００３０】
収納ケース２５２は、下面が開口し、かつ前後方向に長尺な矩形箱状に形成され、開口側が取付部材２２の取付面２２０と対向するように、例えば、ねじなどによって、取付部材２２に取り付けられる。
【００３１】
端子台ブロック２６は、図１に示すように、矩形箱状に形成された端子台２６１と、端子台２６１を取付部材２２に取り付けるための取付金具２６２とを備える。端子台２６１は、天井材３００を通して、室内側に露出する電線が接続される。端子台ブロック２６は、例えば、ねじなどによって、取付部材２２に取り付けられる。
【００３２】
光源ユニット２の組み立て手順について説明する。
【００３３】
最初に、作業者は、電源装置２５および端子台ブロック２６をそれぞれ取付部材２２の上面に取り付け、さらに電源装置２５と端子台ブロック２６との間を電線により電気的に接続する。次に、作業者は、取付部材２２の取付面２２０に設けられた凹部２２２に光源モジュール２１を載せ、カバー２３を取付面２２０の下方から内鍔２３２が取付面２２０に当接するように配置し、光源モジュール２１をカバー２３と取付面２２０との間に挟み込む。そして、作業者は、かしめ部２２４と内鍔２３２の凹部２３２ｂとの位置を合わせ、挟持片２２４ｃを光源モジュール２１側に折り曲げて突片２３２ｃに引掛けて取付部材２２にカバー２３が取り付けられる。このとき、光源モジュール２１は、内鍔２３２の先端部２３２ｄと取付面２２０との間に挟まれて取付部材２２に固定される。さらに、作業者は、光源モジュール２１と電源装置２５とを電線により電気的に接続する。最後に、作業者は、エンドカバー２４をカバー２３の前後方向の両端に取り付ける。
【００３４】
照明器具１００の施工手順について説明する。
【００３５】
最初に、作業者は、室内側に露出する電線を器具本体１に設けられた孔１１１ａに通す。そして、作業者は、天井材３００を通して室内側に露出する複数の吊ボルト３０１のそれぞれを、孔１１１ｂに通した後、吊ボルト３０１にナット３０２をねじ込んで器具本体１を天井材３００に固定する（図２Ａ参照）。次に作業者は、電線を端子台２６１に接続する。最後に、作業者は、器具本体１および取付部材２２にそれぞれ設けられた嵌合構造、例えば、係止部２２３を器具本体１の凹部１１に設けられる突片に引っ掛けるなどして光源ユニット２を器具本体１に取り付ける。このとき、光源ユニット２は、すくなくとも、電源装置２５および端子台２６１が凹部１１に収容されるように、器具本体１に取り付けられる（図５参照）。
【００３６】
本実施形態の光源ユニット２では、光源モジュール２１が取付部材２２とカバー２３とで挟まれて取付部材２２に固定される。カバー２３は、内鍔２３２の突片２３２ｃ、および内鍔２３２の基端側の一部が取付面２２０に当接していることで、凹部２３２ｂが切起し片２２４ａと挟持片２２４ｃと開口部２２４ｂとを収容し、かつカバー２３の内部が外部から遮断するように形成されている。本実施形態の光源ユニット２では、外部からかしめ部の開口部２２４ｂを通って虫や埃などが凹部２３２ｂまでは進入することが可能である。しかしながら、光源ユニット２は、カバー２３の内部と凹部２３２ｂとが遮断されており、カバー２３内に虫や埃などが進入し難い構造に形成されている。また、カバー２３の内部と凹部２３２ｂとが遮断しているので、従来例のように、作業者が開口部２２４ｂにテープなどを貼る必要がない。したがって、本実施形態の光源ユニット２および照明器具１００は、従来例と比較して作業工程を軽減することができる。
【００３７】
なお、挟持片２２４ｃは、光源モジュール２１の短辺と反対側の部位を折り曲げられることが好ましい。これにより、挟持片２２４ｃに向けて照射される光源２１１からの光を光源モジュール２１の短辺側の端部側に反射することができるので、光源モジュール２１の端部側への光の照射を増加させることができる。
【００３８】
本実施形態の光源ユニット２の変形例について、図６を参照して例示する。
【００３９】
変形例の光源ユニット２は、取付部材２２がかしめ部２２４を有していない点で前述の実施形態の光源ユニット２と相違する。
【００４０】
変形例の光源ユニット２において、カバー２３の左右方向における両端側には、上向きに突出する取付片２３３を備える。取付片２３３は、脚部２３３ａと、脚部２３３ａの先端に設けられて内向きに突出する引掛け部２３３ｂとを有する。カバー２３は、取付片２３３にそれぞれ設けられた引掛け部２３３ｂが、取付部材２２の係止部２２３に引っ掛かることで、取付部材２２に取り付けられる。
【００４１】
なお、取付部材がかしめ部２２４を有していないことで、カバー２３の内鍔２３４の形状は、本実施形態のカバー２３の内鍔２３２と異なる形状に形成されてもよい。例えば、内鍔２３４は、先端に取付面２２０との間に光源モジュール２１を挟み込むように形成される先端部２３４ａを備えていればよく、凹部２３２ｂなどを備える必要がない。また、内鍔２３４は、パネル２３１と対向する面が非透過性を有する反射面に形成されることが好ましい。
【００４２】
本実施形態の変形例の光源ユニット２では、カバー２３は、取付部材２２がかしめ部２２４を有していない場合、取付片２３３によって、取付部材２２に固定される。つまり、本実施形態の変形例の光源ユニット２は、かしめ部２２４を有していないので、カバー２３の内部に外部から虫や埃などが進入し難い構造に形成される。したがって、変形例の光源ユニット２および照明器具１００は、かしめ部の開口にテープなどを貼る必要がないので、従来例と比較して作業工程を軽減することができる。
【００４３】
ところで、取付部材２２は、板金に限らず、樹脂製の板材によって形成されてもよい。この場合、樹脂製の取付部材２２は、突片２３２ｃの下面と取付部材の取付面２２０とを溶着することによって、カバー２３を固定することが好ましい。つまり、取付部材２２はかしめ部２２４を有することなく、溶着によってカバー２３を固定することで、カバー２３内は外部から遮断されている。したがって、光源ユニット２は、カバー２３内に外部から虫や埃が進入することを抑制することが可能である。
【００４４】
エンドカバー２４は、作業工程の最後にカバー２３に取り付けられなくてもよく、例えば、カバー２３に光源モジュール２１が取り付けられる前などに、カバー２３に取り付けられてもよい。また、カバー２３は、エンドカバー２４と一体成形されていてもよい。
【００４５】
光源モジュール２１は、凹部２２２の前後方向に移動しないように、例えば、取付部材２２にダボを設け、さらに回路基板２１０に孔を設けて、当該ダボを回路基板２１０の当該孔に差し込むなどして、取付部材２２に固定されてもよい。器具本体１には、前後方向に複数の光源ユニット２が並べられ、一つの器具本体１に取り付けられてもよい。
【００４６】
本実施形態の光源ユニット２は、変形例で上述した、取付片２３３を有するカバー２３を備え、かしめ部２２４と併用して取付部材２２にカバー２３が固定されてもよい。
【００４７】
本実施形態の光源ユニット２は、一面（下面）に光源２１１が実装される回路基板２１０と、回路基板２１０の他面（上面）が当接して取り付けられる取付面２２０を有する長尺状の取付部材２２とを備える。光源ユニット２は、回路基板２１０の一面（下面）側を覆うようにして長手方向が取付部材２２の長手方向と同じ方向になるように取付部材２２の取付面２２０に取り付けられる長尺状のカバー２３をさらに備える。カバー２３は、回路基板２１０を覆う長尺状のパネル２３１と、パネル２３１の短手方向（左右方向）の両端縁から、短手方向に互いに近づく向きに向かって延出する板状の一対の内鍔２３２とを有する。回路基板２１０は、一対の内鍔２３２と取付部材２２の取付面２２０との間に挟み込まれて支持される。
【００４８】
本実施形態の光源ユニット２は、上述のように構成されるので、作業工程を軽減し、かつ埃や虫などがカバー２３の内部に進入することを抑制することができる。
【００４９】
本実施形態の光源ユニット２において、取付部材２２は、板金によって形成されており、短手方向（左右方向）の両端側で長手方向（前後方向）に沿って設けられるかしめ部２２４を備えることが好ましい。かしめ部２２４は、取付面２２０側に切り起こされる切起し片２２４ａと、取付部材２２が切り起こされることで形成される開口部２２４ｂと、切起し片２２４ａの一部が光源２１１側に折り曲げられて形成される挟持片２２４ｃとを有することが好ましい。一対の内鍔２３２のそれぞれは、かしめ部２２４を収納する凹部２３２ｂと、凹部２３２ｂの開口縁から凹部２３２ｂ内に延設された突片２３２ｃとを備えることが好ましい。取付部材２２は、挟持片２２４ｃと取付面２２０とで突片２３２ｃを挟むことで、カバー２３を支持することが好ましい。
【００５０】
本実施形態の光源ユニット２が、上述のように構成されれば、かしめ部２２４の開口部２２４ｂから埃や虫などがカバー２３の内部に進入することを抑制することができる。
【００５１】
本実施形態の光源ユニット２では、一対の内鍔２３２のそれぞれの凹部２３２ｂにおいて、カバー２３の短手方向（左右方向）に向かい合う面は、短手方向に互いに離れるにつれて、取付部材２２から遠ざかるように傾斜する傾斜面２３２ｆに形成されることが好ましい。傾斜面２３２ｆは、光源２１１が発した光を反射する反射面に形成されることが好ましい。
【００５２】
本実施形態の光源ユニット２が上述のように構成されれば、取付部材２２に反射塗装など行う必要がなくなるので、作業工程を軽減することが可能である。
【００５３】
本実施形態の光源ユニット２において、一対の内鍔２３２のそれぞれは、凹部２３２ｂが形成されてパネル２３１側に突出する突出部２３２ａを備えることが好ましい。カバー２３内において、突出部２３２ａとパネル２３１の内面との間に、光源２１１が発した光が短手方向（左右方向）へ通る伝達経路となる空間２３５が設けられることが好ましい。
【００５４】
本実施形態の光源ユニット２が上述のように構成されれば、より広範囲に光源２１１が発した光を照射することが可能である。
【００５５】
本実施形態の光源ユニット２において、パネル２３１は、短手方向（左右方向）の両端縁から突出する取付片２３３を備えることが好ましい。取付部材２２は、係止部２２３を短手方向の両端に備えることが好ましい。カバー２３は、取付片２３３が係止部２２３に引掛ることで、取付部材２２に取り付けられることが好ましい。
【００５６】
本実施形態の光源ユニット２が、上述のように構成されれば、作業工程が軽減される。
【００５７】
本実施形態の光源ユニット２において、カバー２３の一対の内鍔２３２，２３４は、光の透過を抑制する非透過性を有することが好ましい。一対の内鍔２３２，２３４は、パネル２３１に対向する面（内面２３２ｅ）が反射面に形成されることが好ましい。
【００５８】
本実施形態の光源ユニット２が上述のように構成されれば、光源２１１が発する光をより効率良く照射することができ、光源２１１の数を減らすなどして、コストを削減することが可能である。
【００５９】
本実施形態の光源ユニット２において、取付部材２２は、樹脂によって形成され、溶着することでカバー２３を固定することが好ましい。
【００６０】
本実施形態の光源ユニット２が上述のように構成されれば、溶着によってカバー２３を固定することができるので、光源ユニット２は、カバー２３内に外部から虫や埃の進入を抑制することが可能である。
【００６１】
本実施形態の照明器具１００は、光源ユニット２と、光源ユニット２が取り付けられる器具本体１とを備える。
【００６２】
本実施形態の照明器具１００は、上述のように構成されるので、作業工程を軽減し、かつ埃や虫などがカバー２３の内部に進入することを抑制することができる。
【符号の説明】
【００６３】
１  器具本体
１００  照明器具
２  光源ユニット
２１０  回路基板
２１１  光源
２２  取付部材
２２０  取付面
２２４  かしめ部
２２４ａ  切起し片
２２４ｂ  開口部
２２４ｃ  挟持片
２３  カバー
２３１  パネル
２３２  内鍔
２３２ａ  突出部
２３２ｂ  凹部
２３２ｃ  突片
２３２ｅ  内面
２３２ｆ  傾斜面
２３３  取付片
２３３ｂ  引掛け部
２３５  空間
【図１】
0006575900.tif 000002
【図２】
0006575900.tif 000003
【図３】
0006575900.tif 000004
【図４】
0006575900.tif 000005
【図５】
0006575900.tif 000006
【図６】
0006575900.tif 000007